(57)【要約】【課題】本発明は、洗濯機に装備されている洗濯槽で衣類などを洗濯した後、使用後の洗濯槽への、子供やペットなどの落下防止、貴金属や時計などの物品の落下防止、埃やゴミの混入などを防止し、電力を消費することなく、水槽または洗濯槽に付着した残水から生じる湿気やカビも防止することができる洗濯機用保護具を提供する。【解決手段】枠体１の枠内に通気性シート２が形成され、前記枠体１の片面に中央枠体１ａに支持され、且つ洗濯機本体Ａの外壁面１０又は洗濯槽８の上端外周部９に係止する係止部７を有する装着部３が設けられていることを特徴とする洗濯機用保護具である。【選択図】図１
2004222882.tif 000002
【特許請求の範囲】
【請求項１】
枠体の枠内に通気性シートが形成され、前記枠体に支持され、且つ洗濯機本体の外壁面又は洗濯槽の上端外周部に係止する係止部を有する装着部が設けられていることを特徴とする洗濯機用保護具。
【請求項２】
枠体の枠内に通気性シートが形成され、前記枠体にその一端部を洗濯機本体の上面開口端部に接続する蝶番部が設けられ一体化されていることを特徴とする洗濯機用保護具。
【請求項３】
前記通気性シートは前記枠体と一体成形されていることを特徴とする請求項１又は２記載の洗濯機用保護具。
【請求項４】
前記通気性シートは網状、又は格子状、又は布帛状に設けられていることを特徴とする請求項１乃至３のいずれか１項記載の洗濯機用保護具。
【請求項５】
前記装着部は各々支持体と前記枠体の内面に設けられた中央枠体にスライド可能に嵌着されていることを特徴とする請求項１又は３又は４記載の洗濯機用保護具。
【請求項６】
前記各々支持体が伸縮自在な弾性部材を介して設けられていることを特徴とする請求項５記載の洗濯機用保護具。
【請求項７】
前記枠体、通気性シート、及び装着部は、プラスチック材料又は金属材料又はその両方で形成されていることを特徴とする請求項１乃至６のいずれか１項記載の洗濯機用保護具。
【発明の詳細な説明】
【０００１】
【発明の属する技術分野】
本発明は、洗濯機用保護具に関するものであり、詳しくは、洗濯槽への、子供やペットなどの落下防止、貴金属や時計などの物品の落下防止、埃やゴミの混入などを防止し、電力を消費することなく、水槽または洗濯槽に付着した残水から生じる湿気やカビも防止することができる洗濯機用保護具に関するものである。
【０００２】
【従来の技術】
洗濯機の構造は、図９に示すように、洗濯機本体内に水槽が支持部材により、弾性的に垂下支持され、水槽内に洗濯槽が回転速度調節可能なクラッチ機構より導出された軸に取り付けられている。
【０００３】
水槽と洗濯槽には、隙間ができるため、洗濯に使用した残水が水槽または洗濯槽に付着し、残水が湿気を生み、カビが繁殖するといった問題があり、このカビは、アレルギー性皮膚炎の原因の一つと言われている。
【０００４】
この湿気またはカビを防止するための対策として、洗濯機上部に設置されている蓋をあけて、水槽または洗濯槽を乾燥させたりしているが、洗濯槽を開放した状態にしておくと、洗濯槽へ子供やペットなどが誤って落下したり、貴金属や時計などの物品を誤って落下させたり、埃やゴミの混入などの不具合が生じてしまう。また、最近では洗濯機に乾燥機を取付けて、上述した不具合を解消した洗濯機があるが電力を消費するため不経済である。
【０００５】
【発明が解決しようとする課題】
本発明は係る従来技術の問題点を解決しようとするものであり、洗濯槽への、子供やペットなどの落下防止、貴金属や時計などの物品の落下防止、埃やゴミの混入などを防止し、電力を消費することなく、水槽または洗濯槽に付着した残水から生じる湿気やカビも防止することができる洗濯機用保護具を提供する。
【０００６】
【課題を解決するための手段】
本発明は、上記のような課題を解決するためになされたもので、本発明の請求項１に係る発明は、枠体１の枠内に通気性シート２が形成され、前記枠体１に支持され、且つ洗濯機本体Ａの外壁面１０又は洗濯槽８の上端外周部９に係止する係止部７を有する装着部３が設けられていることを特徴とする洗濯機用保護具である。
【０００７】
本発明の請求項２に係る発明は、枠体１の枠内に通気性シート２が形成され、前記枠体１にその一端部を洗濯機本体Ａの上面開口端部１２に接続する蝶番部１１が設けられ一体化されていることを特徴とする洗濯機用保護具である。
【０００８】
本発明の請求項３に係る発明は、請求項１又は２記載の洗濯機用保護具において、前記通気性シート２は前記枠体１と一体成形されていることを特徴とする洗濯機用保護具である。
【０００９】
本発明の請求項４に係る発明は、請求項１乃至３のいずれか１項記載の洗濯機用保護具において、前記通気性シート２は網状、又は格子状、又は布帛状に設けられていることを特徴とする洗濯機用保護具である。
【００１０】
本発明の請求項５に係る発明は、請求項１又は３又は４記載の洗濯機用保護具において、前記装着部３は各々支持体３ａ、３ｂと前記枠体１の内面に設けられた中央枠体１ａにスライド可能に嵌着されていることを特徴とする洗濯機用保護具である。
【００１１】
本発明の請求項６に係る発明は、請求項５記載の洗濯機用保護具において、前記各々支持体３ａ、３ｂが伸縮自在な弾性部材６を介して設けられていることを特徴とする洗濯機用保護具である。
【００１２】
本発明の請求項７に係る発明は、請求項１乃至６のいずれか１項記載の洗濯機用保護具において、前記枠体１、通気性シート２、及び装着部３は、プラスチック材料又は金属材料又はその両方で形成されていることを特徴とする洗濯機用保護具である。
【００１３】
【発明の実施の形態】
本発明に係る洗濯機用保護具Ｂの実施の形態を図１から図９に基づいて詳細に説明する。
【００１４】
図１は、本発明に係る洗濯機用保護具Ｂの第１実施例を示す表面の平面図であり、図２は、本発明に係る洗濯機用保護具Ｂの第２実施例を示す表面の平面図であり、図３は本発明に係る洗濯機用保護具Ｂの第２実施例を示す裏面の平面図であり、図４は、本発明に係る洗濯機用保護具の図２のＸ−Ｘ側断面図で、且つ図６に示す形態の装着部３の説明図であり、図５は、本発明に係る洗濯機用保護具の図２のＸ−Ｘ側断面図で、且つ図７に示す形態の装着部３の説明図であり、図６は、本発明に係る洗濯機用保護具Ｂを洗濯槽８上面に取り付けた形態を示す第２実施例の斜視図であり、図７は、本発明に係る洗濯機用保護具Ｂを洗濯機本体に取り付けた形態を示す第３実施例の斜視図であり、図８は、本発明に係る洗濯機用保護具Ｂの第４実施例を示す平面図であり、図９は、本発明に係る洗濯機用保護具Ｂを洗濯機本体に取り付けた形態を示す第４実施例の斜視図である。
【００１５】
本発明の洗濯機用保護具Ｂは、図１に示すように、洗濯槽８の上端開口形状と同一の環状枠体１の枠内に通気性シート２が形成されており、更に前記枠体１に支持され、且つ洗濯機本体Ａの外壁面１０又は洗濯槽８の上端外周部９に係止する係止部７を有する装着部３が環状枠体１の両端に設けられている洗濯機用保護具Ｂである。
【００１６】
図１に示す洗濯機用保護具Ｂは、洗濯機本体Ａの外壁面１０又は洗濯槽８の上端外周部９に係止する係止部７を有さない装着部３でも良く、更に該装着部３が環状枠体１の両端、或いは四隅に設けられていても良く、洗濯機用保護具Ｂが洗濯槽８の上端開口部を覆い、固定されていれば特に制約されるものではない。
【００１７】
次に、本発明の洗濯機用保護具Ｂは、図２及び図３に示すように、洗濯槽８の上端開口形状の環状枠体１の枠に直径方向に中央枠体１ａを備え、該枠体１の枠内に通気性シート２が形成され、前記枠体１の片面に中央枠体１ａに支持され、且つ洗濯機本体Ａの外壁面１０又は洗濯槽８の上端外周部９に係止する係止部７を有する装着部３が設けられている洗濯機用保護具である。
【００１８】
前記通気性シート２は前記枠体１と一体成形されているが、該枠体１に一体成形しないで後から通気性シート２を取り付けても良い。
【００１９】
前記通気性シート２は網状、又は格子状、又は布帛状に設けられている通気性シート２を使用するが、該通気性シート２は強度が強く通気性を有していれば特に制約されるものではないが、環状枠体１と一体成形できる網状、又は格子状の通気性シート２が好ましい。
【００２０】
図２に示す洗濯機用保護具Ｂの場合の前記装着部３は、図４及び図５に示すように、各々支持体３ａ、３ｂと該支持体３ａ、３ｂの間に設けられた弾性部材６と前記中央枠体１ａに形成したスリット部４内にスライド可能に嵌着した保持部５により構成され、伸縮自在な弾性部材６を介し、前記各々支持体３ａ、３ｂが枠体１の外側に付勢されている。
【００２１】
即ち、該装着部３は中央枠体１ａに形成したスリット部４をスライドさせることにより洗濯機の種類によって異なる洗濯槽８開口部の寸法変化に対応して、該洗濯機用保護具Ｂの固定の仕方を変えることができるように工夫をした汎用性のある洗濯機用保護具Ｂである。
【００２２】
環状枠体１の周縁形状は、洗濯槽８の上端開口形状と同一形状が望ましいが、矩形状、角丸矩形状、楕円状など洗濯槽８の上端開口部を覆うことができればどのような形状でも良い。
【００２３】
図６に示すように、洗濯機用保護具Ｂのサイズが洗濯槽８の上端開口部のサイズと同等か、或いは小さい場合は、洗濯槽８の上端開口部外側の凹型形状、或いは凸型形状をした上端外周部９に係止部７を固定すれば良い。
【００２４】
図７に示すように、洗濯機用保護具Ｂのサイズが洗濯槽８の上端開口部外側の凹型形状或いは凸型形状をした上端外周部９のサイズより大きい場合は、洗濯機本体Ａの外壁面１０に係止部７を固定すれば良い。
【００２５】
環状枠体１、通気性シート２、及び装着部３はポリエステル樹脂、ポリプロピレン樹脂、ポリエチレン樹脂、ナイロン樹脂などのプラスチック材料又は鉄、銅、ステンレスなどの金属材料又はその両方を用いることができるが、特に該環状枠体１と該通気性シート２は一体成形性の良いプラスチック材料を使用することが好ましい。
【００２６】
該装着部を構成している各々支持体３ａ、３ｂは、前記プラスチック材料又は金属材料又はその両方を用いることができるが、環状枠体１との接着性を考慮すると該環状枠体１と同種の材料を使用することが好ましい。
【００２７】
また、該装着部を構成している各々支持体３ａ、３ｂの間に設けられている弾性部材６は前記プラスチック材料又は金属材料又はその両方を用いることができるが、バネやゴムなどのような弾性体材料であれば特に制約することはないが強度が強く洗剤や漂白剤などの化学物質で劣化しない弾性体を使用することが好ましい。
【００２８】
次に、図８に示すように、洗濯槽８の上端開口形状の環状枠体１の枠に直径方向に中央枠体１ａを備え、該枠体１の枠内に通気性を有する通気性シート２が形成され、前記枠体１にその一端部を洗濯機本体Ａの上面開口端部１２に接続する蝶番部１１が設けられている洗濯機用保護具Ｂである。
【００２９】
前記通気性シート２は前記枠体１と一体成形されているが、該枠体１に一体成形しないで後から通気性シート２を取り付けても良い。
【００３０】
また、前記環状枠体１に中央枠体１ａを備えず、該枠体１の枠内に通気性を有する通気性シート２が一体成形されているか、或いは該枠体１に一体成形しないで後から通気性シート２を取り付けても良い。
【００３１】
該通気性シート２は網状、又は格子状、又は布帛状に設けられている通気性シート２を使用するが、該通気性シート２は強度が強く、洗剤や漂白剤などの化学物質で劣化しない通気性を有しているものであれば、特に制約されるものではないが、環状枠体１と一体成形できる網状、又は格子状の通気性シート２が好ましい。
【００３２】
環状枠体１及び通気性シート２は、ポリエステル樹脂、ポリプロピレン樹脂、ポリエチレン樹脂、ナイロン樹脂などのプラスチック材料又は鉄、銅、ステンレスなどの金属材料又はその両方を用いることができるが、一体成形性の良いプラスチック材料が好ましい。
【００３３】
以上のような洗濯機用保護具Ｂを使用することにより、洗濯槽への、子供やペットなどの落下防止、貴金属や時計などの物品の落下防止、埃やゴミの混入などを防止し、電力を消費することなく、水槽または洗濯槽に付着した残水から生じる湿気やカビも防止することができる洗濯機用保護具を提供する。
【００３４】
【実施例】
次に実施例により、本発明を具体的に説明する。
【００３５】
＜実施例１＞
本発明の洗濯機用保護具Ｂは、直径４００ｍｍφの真円形状開口部を有する洗濯槽を装備した洗濯機に適合するように、図１に示すように、環状枠体１は、枠を直径４００ｍｍφ×幅１０ｍｍ×厚み５ｍｍ、装着部３は、環状枠体１の直径方向の中心部の両端に幅１５ｍｍ×長さ１０ｍｍ×厚み５ｍｍの係止部７を有する幅１５ｍｍ×長さ２０ｍｍ×厚み５ｍｍ、通気性シート２の網状開口面積を５ｍｍ２に設計し、ポリエチレン樹脂で一体成形加工により作製した。
【００３６】
衣類などを洗濯後、その洗濯機の蓋を開けた状態にしておき、前記洗濯機用保護具Ｂを洗濯機の洗濯槽８の上端開口部に被せて、該洗濯槽８の上端開口部外側の凹型形状をした上端外周部９に係止部７を固定した。
【００３７】
洗濯機用保護具Ｂを被せた状態の洗濯槽８の上端開口部は、該洗濯機用保護具Ｂで完全に覆われており、該洗濯機用保護具Ｂが該洗濯槽８の上端開口部外側の上端外周部９に係止部７が強固に固定されているので洗濯槽への、子供やペットなどの落下の危険性もなく、貴金属や時計などの物品の落下も防止でき、埃やゴミの混入などもなく、電力を消費することなく、水槽または洗濯槽に付着した残水から生じる湿気やカビも防止することができた。
【００３８】
＜実施例２＞
本発明の洗濯機用保護具Ｂは、直径４００ｍｍφの真円形状開口部を有する洗濯槽を装備した洗濯機に適合するように、図２及び図３に示すように、環状枠体１は、枠を直径４００ｍｍφ×幅１０ｍｍ×厚み５ｍｍ、中央枠体１ａを幅３０ｍｍ×長さ３８０ｍｍ×厚み５ｍｍ、中央枠体１ａに設ける一対のスリット部４を幅５ｍｍ×長さ１５５ｍｍ、通気性シート２の網状開口面積を５ｍｍ２に設計し、ポリエチレン樹脂で一体成形加工により作製した。
【００３９】
次に、図４及び図５に示すように、装着部３を構成する各々支持体３ａ、３ｂを幅２０ｍｍ×長さ２００ｍｍ×厚み５ｍｍ、該各々支持体３ａ、３ｂの各々の上面に突起した茸状の保持部５を傘部９ｍｍφ、円柱部５ｍｍφ×高さ１０ｍｍに設計し、ポリエチレン樹脂で成形加工により作製した。
【００４０】
次に、前記各々支持体３ａ、３ｂを長さ５０ｍｍ×直径２ｍｍのステンレス製コイルからなる弾性部材６で連結して装着部３を作製した。
【００４１】
図３及び図４に示すように、前記枠体１の裏面に前記装着部３を公知の接着剤を用いて取り付け洗濯機用保護具Ｂを作製した。
【００４２】
衣類などを洗濯後、その洗濯機の蓋を開けた状態にしておき、図６に示すように、前記洗濯機用保護具Ｂを洗濯機の洗濯槽８の上端開口部に被せて、該洗濯槽８の上端開口部外側の凹型形状をした上端外周部９に係止部７を固定した。
【００４３】
洗濯機用保護具Ｂを被せた状態の洗濯槽８の上端開口部は、該洗濯機用保護具Ｂで完全に覆われており、該洗濯機用保護具Ｂが該洗濯槽８の上端開口部外側の上端外周部９に係止部７が強固に固定されているので洗濯槽への、子供やペットなどの落下の危険性もなく、貴金属や時計などの物品の落下も防止でき、埃やゴミの混入などもなく、電力を消費することなく、水槽または洗濯槽に付着した残水から生じる湿気やカビも防止することができた。
【００４４】
＜実施例３＞
本発明の実施例は、洗濯機の洗濯槽８の開口部が直径３００ｍｍφと実施例２の洗濯槽８の開口部に比較して、直径寸法が１００ｍｍ小さい以外は実施例２と全く同じ洗濯機用保護具Ｂを使用した。
【００４５】
衣類などを洗濯後、その洗濯機の蓋を開けた状態にしておき、前記洗濯機用保護具Ｂを洗濯機の洗濯槽８の上端開口部に被せた。
【００４６】
実施例２の洗濯槽８の開口部の直径寸法が小さいので、洗濯機用保護具Ｂを洗濯槽８の上端開口部外側の上端外周部９に係止部７を固定することはできないので、図７に示すように、該洗濯機用保護具Ｂの装着部３を伸ばして洗濯機本体Ａの外壁面１０に係止部７を固定した。
【００４７】
洗濯機用保護具Ｂを被せた状態の洗濯槽８の上端開口部は、該洗濯機用保護具Ｂで完全に覆われており、該洗濯機用保護具Ｂが洗濯機本体Ａの外壁面１０に係止部７が強固に固定されているので洗濯槽への、子供やペットなどの落下の危険性もなく、貴金属や時計などの物品の落下も防止でき、埃やゴミの混入などもなく、電力を消費することなく、水槽または洗濯槽に付着した残水から生じる湿気やカビも防止することができた。
【００４８】
＜実施例４＞
本発明の洗濯機用保護具Ｂは、直径４００ｍｍφの真円形状開口部を有する洗濯槽を装備した洗濯機に適合するように、図８に示すように、環状枠体１は、枠を直径４００ｍｍφ×幅１０ｍｍ×厚み５ｍｍ、該枠体１の一端部に洗濯機本体Ａの上面開口端部１２に接続する蝶番部１１を幅５０ｍｍ×長さ５０ｍｍ×厚み２５ｍｍ、中央枠体１ａを幅３０ｍｍ×長さ３８０ｍｍ×厚み５ｍｍ、通気性シート２の網状開口面積を５ｍｍ２に設計し、ポリエチレン樹脂で一体成形加工により作製した。
【００４９】
洗濯機用保護具Ｂを該洗濯機用保護具Ｂの一端部に設けられている蝶番部１１により洗濯機本体Ａの上面開口端部１２に接続し、該洗濯機本体Ａと一体化した。
【００５０】
衣類などを洗濯後、その洗濯機の蓋を開けた状態にしておき、図９に示すように、前記洗濯機用保護具Ｂを洗濯機の洗濯槽８の上端開口部に被せた。
【００５１】
洗濯機用保護具Ｂを被せた状態の洗濯槽８の上端開口部は、該洗濯機用保護具Ｂで完全に覆われており、該洗濯機用保護具Ｂが洗濯機本体Ａと一体化されているので、洗濯槽への、子供やペットなどの落下の危険性もなく、貴金属や時計などの物品の落下も防止でき、埃やゴミの混入などもなく、電力を消費することなく、水槽または洗濯槽に付着した残水から生じる湿気やカビも防止することができた。
【００５２】
【発明の効果】
本発明は、該枠体の枠内に通気性シートが形成され、前記枠体の片面に中央枠体に支持され、且つ洗濯機本体の外壁面又は洗濯槽の上端外周部に係止する係止部を有する装着部が設けられている洗濯機用保護具を洗濯機の洗濯槽に取り付けることにより、洗濯槽への、子供やペットなどの落下の危険性もなく、貴金属や時計などの物品の落下も防止でき、埃やゴミの混入などもなく、電力を消費することなく、水槽または洗濯槽に付着した残水から生じる湿気やカビも防止することができた。
【図面の簡単な説明】
【図１】本発明に係る洗濯機用保護具の第１実施例を示す表面の平面図である。
【図２】本発明に係る洗濯機用保護具の第２実施例を示す表面の平面図である。
【図３】本発明に係る洗濯機用保護具の第２実施例を示す裏面の平面図である。
【図４】本発明に係る洗濯機用保護具の図２のＸ−Ｘ側断面図で、且つ図６に示す形態の装着部の説明図である。
【図５】本発明に係る洗濯機用保護具の図２のＸ−Ｘ側断面図で、且つ図７に示す形態の装着部の説明図である。
【図６】本発明に係る洗濯機用保護具を洗濯槽上面に取り付けた形態を示す第２実施例の斜視図である。
【図７】本発明に係る洗濯機用保護具を洗濯機本体に取り付けた形態を示す第３実施例の斜視図である。
【図８】本発明に係る洗濯機用保護具の第４実施例を示す平面図である。
【図９】本発明に係る洗濯機用保護具を洗濯機本体に取り付けた形態を示す第４実施例の斜視図である。
【図１０】従来の洗濯機本体の形態を示す斜視図である。
【符号の説明】
Ａ・・・洗濯機本体
Ｂ・・・洗濯機用保護具
１・・・環状枠体  １ａ・・・中央枠体
２・・・通気性シート
３・・・装着部  ３ａ・・・支持体  ３ｂ・・・支持体
４・・・スリット部
５・・・保持部
６・・・弾性部材
７・・・係止部
８・・・洗濯槽
９・・・上端外周部
１０・・・外壁面
１１・・・蝶番部
１２・・・上面開口端部
【図１】
2004222882.tif 000003
【図２】
2004222882.tif 000004
【図３】
2004222882.tif 000005
【図４】
2004222882.tif 000006
【図５】
2004222882.tif 000007
【図６】
2004222882.tif 000008
【図７】
2004222882.tif 000009
【図８】
2004222882.tif 000010
【図９】
2004222882.tif 000011
【図１０】
2004222882.tif 000012